(57)【特許請求の範囲】
【請求項１】
ベースと、
前記ベースに対して直線移動と回転移動を行うことにより、後退位置と進行位置との間で移動する移動部材と、
前記移動部材を前記後退位置で係止する係止機構とを有し、
前記移動部材が回転移動することにより前記係止機構による前記移動部材の係止が解除され、前記移動部材の前記直線移動を可能とし、
前記移動部材に、閉位置と開位置との間で回転する回転部材を設け、
前記回転部材は、前記閉位置において、前記移動部材と重なった状態であり、前記開位置において、前記閉位置に対して反転し、かつ前記ベースと平行な状態であることを特徴とする開閉装置。
【請求項２】
前記係止機構は、前記ベース又は前記移動部材のいずれか一方に設けられた係止部材と、前記ベース又は前記移動部材のいずれか他方に設けられ、前記移動部材が前記後退位置に移動した際に前記係止部材を係止する係止部とを有することを特徴とする請求項１に記載の開閉装置。
【請求項３】
前記移動部材を前記進行位置に向け付勢する弾性部材を設けたことを特徴とする請求項１又は２に記載の開閉装置。
【請求項４】
第１の筐体と、
第２の筐体と、
表示装置と、
請求項１乃至３のいずれか一項に記載の開閉装置とを有し、
前記ベースに前記第１の筐体を取り付け、
前記回転部材に前記第２の筐体を取り付け、
前記第２の筐体に前記表示装置を取り付け、
前記回転部材が前記閉位置における前記表示装置の向きと、前記回転部材が前記開位置における前記表示装置の向きとが反転するよう構成したことを特徴とする電子装置。
【請求項５】
前記移動部材が前記進行位置にある状態で、前記回転部材を前記閉位置の状態にすることにより、前記第２の筐体が前記第１の筐体に対してチルトした状態となることを特徴とする請求項４に記載の電子装置。
【発明の詳細な説明】
【技術分野】
【０００１】
本発明は、開閉装置及び電子装置に関する。
【背景技術】
【０００２】
従来から、デジタルカメラ、ビデオカメラ、携帯電話機等の電子装置では、撮影した画面を確認するために液晶ディスプレイ等を装置本体に組み込んだ構成のものが知られている。また、種々の角度から液晶ディスプレイを見ることを可能とするため、装置本体内に表示部を開閉する開閉装置を設け、表示部を装置本体に対して開閉可能な構成とした電子装置も提供されている。【０００３】
ところで近年、デジタルカメラ等の電子装置で自分自身を撮影すること（いわゆる自分撮り）が行われるようになってきている。このような場合、表示部が装置本体の背面に収納された状態では、装置本体の前方に位置している撮影者は液晶ディスプレイを視認することができない。【０００４】
このため、撮影者が装置本体の前方に位置していても、液晶ディスプレイを視認できる位置まで表示部を移動できるように構成された開閉装置及び電子装置が提供されている（特許文献１）。
【先行技術文献】
【特許文献】
【０００５】
【特許文献１】特開２００６−１３８９５９号公報
【発明の概要】
【発明が解決しようとする課題】
【０００６】
しかしながら、液晶ディスプレイが配設された表示部は比較的大きな厚さを有するため、表示部を装置本体に対して回転軸を中心に単に回転させる構成では、表示部及び装置本体の回転軸に近い側のコーナー部同士が回転に伴い当接してしまう。【０００７】
本発明のある態様の例示的な目的のひとつは、コンパクト化及び操作性の向上を図りうる開閉装置及び電子装置を提供することにある。
【課題を解決するための手段】
【０００８】
本発明の一側面によると、開閉装置において、ベースと、前記ベースに対して直線移動と回転移動を行うことにより、後退位置と進行位置との間で移動する移動部材と、前記移動部材を前記後退位置で係止する係止機構とを有し、前記移動部材が回転移動することにより前記係止機構による前記移動部材の係止が解除され、前記移動部材の前記直線移動を可能とし、前記移動部材に、閉位置と開位置との間で回転する回転部材を設け、前記回転部材は、前記閉位置において前記移動部材と重なった状態であり、前記開位置において、前記閉位置に対して反転し、かつ前記ベースと平行な状態である。
【発明の効果】
【０００９】
本発明の一側面によれば、コンパクト化及び操作性の向上を図ることができる。
【図面の簡単な説明】
【００１０】
【図１】本発明の一実施形態である開閉装置の分解斜視図である。
【図２Ａ】本発明の一実施形態である開閉装置の閉状態における斜視図である。
【図２Ｂ】本発明の一実施形態である電子装置の閉状態における斜視図である。
【図３Ａ】本発明の一実施形態である開閉装置の開状態における斜視図である。
【図３Ｂ】本発明の一実施形態である電子装置の開状態における斜視図である。
【図４Ａ】本発明の一実施形態である開閉装置及び電子装置の動作を説明するための側面図である（その１）。
【図４Ｂ】本発明の一実施形態である開閉装置及び電子装置の動作を説明するための側面図である（その２）。
【図４Ｃ】本発明の一実施形態である開閉装置及び電子装置の動作を説明するための側面図である（その３）。
【図４Ｄ】本発明の一実施形態である開閉装置及び電子装置の動作を説明するための側面図である（その４）。
【図４Ｅ】本発明の一実施形態である開閉装置及び電子装置の動作を説明するための側面図である（その５）。
【図４Ｆ】本発明の一実施形態である開閉装置及び電子装置の動作を説明するための側面図である（その６）。
【図４Ｇ】本発明の一実施形態である開閉装置及び電子装置の動作を説明するための側面図である（その７）。
【図５】移動・係止機構を拡大して示す図である。
【図６】変形例である開閉装置の斜視図である。
【符号の説明】
【００１１】
１  電子装置
２  装置本体
３  表示部
５  液晶ディスプレイ
１０，８０  開閉装置
１１Ｌ，１１Ｒ  ベース
２０  アームプレート
２１，３１  本体部
２３Ｌ，２３Ｒ  アーム部
２４Ｌ，２４Ｒ  軸孔
２５Ｌ，２５Ｒ  移動・係止機構
２６Ｌ，２６Ｒ  Ｌ字状孔
２６−１Ｌ，２６−１Ｒ  長孔部
２６−２Ｌ，２６−２Ｒ  係止部
２８Ｌ，２８Ｒ  長孔
３０  回転プレート
３３Ｌ，３３Ｒ  取り付けアーム
３４Ｌ，３４Ｒ  軸孔
３５Ｌ，３５Ｒ  スライドガイド
３６Ｌ，３６Ｒ  スプリングピン
４０Ｌ，４０Ｒ  スプリング
５０Ｌ，５０Ｒ  ヒンジ機構
５１Ｌ，５１Ｒ  ヒンジピン
５２Ｌ，５２Ｒ  スペーサ
５３Ｌ，５３Ｒ  クリックプレート
６０Ｌ，６０Ｒ  第１スライドピン
６１Ｌ，６１Ｒ  第２スライドピン
【発明を実施するための形態】
【００１２】
次に、添付の図面を参照しながら、本発明の限定的でない例示の実施形態について説明する。
【００１３】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１４】
また、以下説明する実施形態は、発明を限定するものではなく例示であって、実施形態に記述される全ての特徴やその組み合わせは、必ずしも発明の本質的なものであるとは限らない。
【００１５】
図１〜図３は、本発明の一実施形態である開閉装置１０及びこれを用いた電子装置１を説明するための図である。図１は、開閉装置１０の分解斜視図である。図２Ａは閉状態における開閉装置１０を示す斜視図であり、図２Ｂは閉状態における開閉装置１０を設けた電子装置１の斜視図である。また、図３Ａは開状態における開閉装置１０を示す斜視図であり、図３Ｂは開状態における電子装置１の斜視図である。なお、開状態及び閉状態の定義については後述する。
【００１６】
本実施形態に係る開閉装置１０は、例えば図２Ｂ及び図３Ｂに示すような電子装置１に設けられ、装置本体２に対して表示部３を開閉移動させるものである。
【００１７】
なお本実施形態では、電子装置１としてデジタルカメラを例に挙げて説明するものとする。しかしながら、本発明の適用はデジタルカメラに限定されるものではなく、ビデオカメラ、携帯電話機等の各種電子装置に広く適用できるものである。
【００１８】
まず、電子装置１について説明する。
【００１９】
電子装置１は、装置本体２、表示部３、及び装置本体２に対して表示部３を開閉する開閉装置１０等を有している。
【００２０】
装置本体２は、背面側に表示部収納部４が設けられている。表示部３は、図２Ｂに示されるように、閉状態において表示部収納部４に収納される。
【００２１】
また装置本体２の正面側には、撮影を行うための撮像レンズ等（図示せず）が設けられている。更に装置本体２の内部には、撮像処理を行うための各種電子部品が配設されている。
【００２２】
表示部３は、例えば液晶ディスプレイ５等の表示装置が一体的に組み込まれている。撮像レンズを介して取り込まれた画像は、表示部３に設けられた液晶ディスプレイ５に表示される。よって撮影者は、この液晶ディスプレイ５により撮影しようとする画面を確認することができる。
【００２３】
一般的な撮影を行う際、表示部３は図２Ｂに示すように、装置本体２の表示部収納部４内に収納される。なお以下の説明において、表示部３が表示部収納部４内に収納された電子装置１及び開閉装置１０の状態を閉状態というものとする。
【００２４】
ところで近年では、電子装置で自分自身を撮影すること（いわゆる、自分撮り）が行われるようになってきており、電子装置１はこれに対応した構成となっている。具体的には、表示部３は、開閉装置１０により装置本体２に対し、図２Ｂ中矢印Ａ１，Ａ２で示す方向に回転できる構成とされている。
【００２５】
図３Ｂ及び図４Ｆは、装置本体２に対して表示部３を開いた状態を示している。この状態では、装置本体２に設けられた撮像レンズ及び液晶ディスプレイ５は、いずれも正面側に位置した状態となっている。即ち、液晶ディスプレイ５の開状態における位置は、閉状態における液晶ディスプレイ５の位置に対して反転した位置となっている。
【００２６】
これにより撮影者は、自己を液晶ディスプレイ５で確認しながら撮影を行うことが可能となる（即ち、いわゆる自分撮りを行うことが可能になる）。なお以下の説明において、表示部３が自分撮りを行うことができる位置まで開らかれた状態を開状態というものとする。
【００２７】
次に、開閉装置１０について説明する。
【００２８】
開閉装置１０は、図１に示すように、ベース１１Ｌ，１１Ｒ、アームプレート２０、移動・係止機構２５Ｌ，２５Ｒ、回転プレート３０、スプリング４０Ｌ，４０Ｒ、及びヒンジ機構５０Ｌ，５０Ｒ等を有している。
【００２９】
なお説明に用いる各図において、左右方向（図中Ｘ１，Ｘ２方向）に対称に配置される構成要素については、右側（Ｘ１方向側）に位置するものには符号に「Ｒ」を添記し、左側（Ｘ２方向側）に位置するものには符号に「Ｌ」を添記して示すものとする。
【００３０】
ベース１１Ｌ，１１Ｒは金属板材をプレス成型したものであり、固定部１２Ｌ，１２Ｒと立設部１３Ｌ，１３Ｒが一体的に形成された構成とされている。固定部１２Ｌ，１２Ｒは、装置本体２に固定される。
【００３１】
なお、本実施形態ではベース１１Ｌ，１１Ｒを装置本体２と別体とした構成を示しているが、ベース１１Ｌ，１１Ｒを装置本体２と一体的に構成することも可能である。この構成とした場合には、ベース１１Ｌ，１１Ｒは装置本体２と共に樹脂により形成される。
【００３２】
立設部１３Ｌ，１３Ｒは、ピン固定孔１４Ｌ，１４Ｒ及びピン固定孔１５Ｌ，１５Ｒが設けられている。ピン固定孔１４Ｌ，１４Ｒには第１スライドピン６０Ｌ，６０Ｒが固定され、ピン固定孔１５Ｌ，１５Ｒには第２スライドピン６１Ｌ，６１Ｒが固定される。
【００３３】
この際、第１スライドピン６０Ｌ，６０Ｒ及び第２スライドピン６１Ｌ，６１Ｒは、ベース１１Ｌ，１１Ｒから内側に向けて突出するよう固定される。また、第１スライドピン６０Ｌ，６０Ｒ及び第２スライドピン６１Ｌ，６１Ｒは、アーム部２３Ｌ，２３Ｒの長手方向に離間して配置されている。
【００３４】
アームプレート２０は、ベース１１Ｌ，１１Ｒに対して直線移動と回転移動を行うことが可能な構成とされている。即ち、アームプレート２０は、ベース１１Ｌ，１１Ｒの長手方向（図中矢印Ｙ１，Ｙ２方向）に直線移動可能な構成とされると共に、第２スライドピン６１Ｌ，６１Ｒを回転中心として回転移動可能な構成ともされている（以下の説明において、直線移動をスライドということもある）。
【００３５】
このアームプレート２０は金属板材をプレス成型したものであり、本体部２１及びアーム部２３Ｌ，２３Ｒ等が一体的に形成されている。
【００３６】
ベース本体部２１は、略長方形状を有している。アーム部２３Ｌ，２３Ｒは、本体部２１の両端部（図中矢印Ｘ１，Ｘ２方向の両端部）に形成されている。このアーム部２３Ｌ，２３Ｒは、ベース本体部２１に対して直角に折り曲げられている。よって、アーム部２３Ｌ，２３Ｒはベース本体部２１に対して起立した状態となっている。
【００３７】
アーム部２３Ｌ，２３Ｒは、ピン固定孔２２Ｌ，２２Ｒ、軸孔２４Ｌ，２４Ｒ、Ｌ字状孔２６Ｌ，２６Ｒ、長孔２８Ｌ，２８Ｒ、及び取り付け孔２９Ｌ，２９Ｒ等を有している。
【００３８】
ピン固定孔２２Ｌ，２２Ｒは、アーム部２３Ｌ，２３Ｒの一端部（図中、矢印Ｙ２方向の端部）に形成されている。このピン固定孔２２Ｌ，２２Ｒには、スプリング４０Ｌ，４０Ｒの一端部が接続されるスプリングピン３６Ｌ，３６Ｒが固定される。
【００３９】
軸孔２４Ｌ，２４Ｒは、アーム部２３Ｌ，２３Ｒの他端部（図中、矢印Ｙ１方向の端部）に形成されている。この軸孔２４Ｌ，２４Ｒには、ヒンジ機構５０Ｌ，５０Ｒを介して回転プレート３０が取り付けられる。
【００４０】
Ｌ字状孔２６Ｌ，２６Ｒ及び長孔２８Ｌ，２８Ｒは、ピン固定孔２２Ｌ，２２Ｒと軸孔２４Ｌ，２４Ｒとの間に並んで形成されている。このＬ字状孔２６Ｌ，２６Ｒ及び長孔２８Ｌ，２８Ｒは、アーム部２３Ｌ，２３Ｒの長手方向に長く形成されている。
【００４１】
またＬ字状孔２６Ｌ，２６Ｒは、長孔部２６−１Ｌ，２６−１Ｒと係止部２６−２Ｌ，２６−２Ｒとを有している。長孔部２６−１Ｌ，２６−１Ｒは、アーム部２３Ｌ，２３Ｒの長手方向（図中、矢印Ｙ１，Ｙ２方向）に延在するよう形成されている。また係止部２６−２Ｌ，２６−２Ｒは、長孔部２６−１Ｌ，２６−１Ｒの端部（図中、矢印Ｙ１方向側の端部）にアーム部２３Ｌ，２３Ｒの長手方向と略直交する方向（図中、矢印Ｚ１方向）に延在するよう形成されている。なお、係止部２６−２Ｌ，２６−２Ｒの具体的な形状については、後述するものとする。
【００４２】
取り付け孔２９Ｌ，２９Ｒは、スライドガイド３５Ｌ，３５Ｒをアーム部２３Ｌ，２３Ｒに取り付けるための孔である。スライドガイド３５Ｌ，３５Ｒにはボス３９Ｌ，３９Ｒ（ボス３９Ｒは図に現れず）が形成されており、このボス３９Ｌ，３９Ｒを取り付け孔２９Ｌ，２９Ｒに嵌入することにより、スライドガイド３５Ｌ，３５Ｒはアーム部２３Ｌ，２３Ｒに取り付けられる。
【００４３】
スライドガイド３５Ｌ，３５Ｒは、ベース１１Ｌ，１１Ｒとアーム部２３Ｌ，２３Ｒとの間に配設される。このスライドガイド３５Ｌ，３５Ｒは、例えばフッ素系の樹脂等の滑性の良好な材料により形成されている。
【００４４】
またスライドガイド３５Ｌ，３５Ｒは、アーム部２３Ｌ，２３Ｒに形成されたＬ字状孔２６Ｌ，２６Ｒ及び長孔２８Ｌ，２８Ｒに対応した形状のＬ字状孔３７Ｌ，３７Ｒ及び長孔３８Ｌ，３８Ｒが形成されている。
【００４５】
上記構成とされたアームプレート２０は、ベース１１Ｌ，１１Ｒに取り付けられる。アームプレート２０がベース１１Ｌ，１１Ｒに取り付けられた状態で、スライドガイド３５Ｌ，３５Ｒはベース１１Ｌ，１１Ｒとアーム部２３Ｌ，２３Ｒとの間に介装された状態となる。よって、アームプレート２０のベース１１Ｌ，１１Ｒに対するスライドを円滑に行うことができる。
【００４６】
また、アームプレート２０がベース１１Ｌ，１１Ｒに取り付けられた状態で、第１スライドピン６０Ｌ，６０ＲはＬ字状孔３７Ｌ，３７Ｒ及びＬ字状孔２６Ｌ，２６Ｒを貫通した状態となる。そして第１スライドピン６０Ｌ，６０Ｒは、アーム部２３Ｌ，２３Ｒの内側に突出した状態となる。
【００４７】
更に、アームプレート２０がベース１１Ｌ，１１Ｒに取り付けられた状態で、第２スライドピン６１Ｌ，６１Ｒは、長孔３８Ｌ，３８Ｒ及び長孔２８Ｌ，２８Ｒを貫通した状態となる。
【００４８】
第１スライドピン６０Ｌ，６０Ｒは、Ｌ字状孔２６Ｌ，２６Ｒ及びＬ字状孔３７Ｌ，３７Ｒ内で相対的に移動可能な構成とされている。同様に、第２スライドピン６１Ｌ，６１Ｒは、長孔３８Ｌ，３８Ｒ及び長孔２８Ｌ，２８Ｒ内で相対的に移動可能な構成されている。
【００４９】
スプリング４０Ｌ，４０Ｒは、前記のようにその一端がアーム部２３Ｌ，２３Ｒに固定されたスプリングピン３６Ｌ，３６Ｒに接続される。また、スプリング４０Ｌ，４０Ｒの他端は、アーム部２３Ｌ．２３Ｒの内側に突出した第１スライドピン６０Ｌ，６０Ｒに接続される。
【００５０】
即ち、スプリング４０Ｌ，４０Ｒは、ベース１１Ｌ，１１Ｒとアームプレート２０との間に配設された構成とされている。このスプリング４０Ｌ，４０Ｒは、ベース１１Ｌ，１１Ｒに対してアームプレート２０を進行位置に向けて移動するよう弾性付勢する。
【００５１】
本実施形態では、スプリング４０Ｌ，４０Ｒとしてコイルスプリングを用い、その配設位置をアーム部２３Ｌ，２３Ｒに近接した位置に設定している。後述するように、一対のアーム部２３Ｌ，２３Ｒの間には回転プレート３０が配設されるが、コイルスプリングは小型化であるため回転プレート３０の邪魔になるようなことはない。
【００５２】
なお、本実施形態ではアームプレート２０を弾性付勢するのにコイルスプリングを用いたが、他の弾性部材（トーションバネ等）を用いることも可能である。
【００５３】
次に、回転プレート３０について説明する。
【００５４】
回転プレート３０は金属板材をプレス成型したものであり、本体部３１、折り曲げ部３２、及び取り付けアーム３３Ｌ，３３Ｒ等を有している。この回転プレート３０には、電子装置１の表示部３が取り付けられる。従って、表示部３は、回転プレート３０と一体的に移動する。
【００５５】
スライド本体部３１は略長方形状を有しており、その外周四辺は略直角に折り曲げられて折り曲げ部３２が形成されている。表示部３に設けられる液晶ディスプレイ５は、この折り曲げ部３２の内側に取り付けられる。
【００５６】
取り付けアーム３３Ｌ，３３Ｒは、回転プレート３０の図中矢印Ｙ１方向の両端部に本体部３１と一体的に設けられている。この取り付けアーム３３Ｌ，３３Ｒは、アーム部２３Ｌ，２３Ｒに設けられた軸孔２４Ｌ，２４Ｒにヒンジ機構５０Ｌ，５０Ｒを用いて回転可能に接続される。
【００５７】
ヒンジ機構５０Ｌ，５０Ｒは、アームプレート２０に対して回転プレート３０を図中矢印Ａ１，Ａ２方向に回転可能に接続させる。このヒンジ機構５０Ｌ，５０Ｒは、ヒンジピン５１Ｌ，５１Ｒ、スペーサ５２Ｌ，５２Ｒ、及びクリックプレート５３Ｌ，５３Ｒ等により構成されている。
【００５８】
次に、移動・係止機構２５Ｌ，２５Ｒについて説明する。
【００５９】
移動・係止機構２５Ｌ，２５Ｒは、アームプレート２０をベース１１Ｌ，１１Ｒに対しスライド（直線移動）させると共に回転移動させる移動機構として機能する。また移動・係止機構２５Ｌ，２５Ｒは、アームプレート２０を閉位置で係止する係止機構としても機能する。
【００６０】
この移動・係止機構２５Ｌ，２５Ｒは、Ｌ字状孔２６Ｌ，２６Ｒ、長孔２８Ｌ，２８Ｒ、第１スライドピン６０Ｌ，６０Ｒ、第２スライドピン６１Ｌ，６１Ｒ、及びスプリング４０Ｌ，４０Ｒ等を有している。
【００６１】
前記したように、第１スライドピン６０Ｌ，６０Ｒは、Ｌ字状孔２６Ｌ，２６Ｒ及びＬ字状孔３７Ｌ，３７Ｒ内で相対的に移動可能な構成とされている。また第２スライドピン６１Ｌ，６１Ｒは、長孔２８Ｌ，２８Ｒ及び長孔３８Ｌ，３８Ｒ内で相対的に移動可能な構成されている。
【００６２】
よって、アームプレート２０がベース１１Ｌ，１１Ｒに取り付けられた状態において、第１スライドピン６０Ｌ，６０ＲがＬ字状孔２６Ｌ，２６Ｒの長孔部２６−１Ｌ，２６−１Ｒにガイドされて相対的に移動することにより、また第２スライドピン６１Ｌ，６１Ｒが長孔２８Ｌ，２８Ｒ（長孔３８Ｌ，３８Ｒ）にガイドされて相対的に移動することにより、アームプレート２０はベース１１Ｌ，１１Ｒに対してアーム部２３Ｌ，２３Ｒの長手方向にスライドする。
【００６３】
図５は、移動・係止機構２５Ｌ，２５Ｒを拡大して示す図である。図５に示されるように、第１スライドピン６０Ｌ，６０ＲはＬ字状孔２６Ｌ，２６Ｒに挿入された状態となっており、第２スライドピン６１Ｌ，６１Ｒは長孔２８Ｌ，２８Ｒに挿入された状態となっている。
【００６４】
電子装置１の表示部３が閉状態にある時、第１スライドピン６０Ｌ，６０ＲはＬ字状孔２６Ｌ，２６Ｒの係止部２６−２Ｌ，２６−２Ｒ内に位置しており、係止部２６−２Ｌ，２６−２Ｒに係止された状態となっている。よって、スプリング４０Ｌ，４０Ｒに付勢されてベース１１Ｌ，１１Ｒに対してアームプレート２０（アーム部２３Ｌ，２３Ｒ）がスライドしようとしても、このスライドは第１スライドピン６０Ｌ，６０Ｒが係止部２６−２Ｌ，２６−２Ｒに係止されることにより規制される。
【００６５】
なお以下の説明において、移動・係止機構２５Ｌ，２５Ｒの第１スライドピン６０Ｌ，６０Ｒが係止部２６−２Ｌ，２６−２Ｒに係止された状態を係止状態というものとする。また、この係止状態におけるアームプレート２０の位置を後退位置というものとする。
【００６６】
係止部２６−２Ｌ，２６−２Ｒは、アーム部２３Ｌ，２３Ｒの長手方向に対して略直交する方向に形成されている。よって、第１スライドピン６０Ｌ，６０Ｒは、係止部２６−２Ｌ，２６−２Ｒの形成範囲（図５に矢印Ｗで示す範囲）において相対的に移動可能な構成となっている。
【００６７】
この第１スライドピン６０Ｌ，６０Ｒが係止部２６−２Ｌ，２６−２Ｒ内で移動することにより、アームプレート２０はベース１１Ｌ，１１Ｒに対して第２スライドピン６１Ｌ，６１Ｒを回転軸として回転する。係止部２６−２Ｌ，２６−２Ｒの形状は、この第１スライドピン６０Ｌ，６０Ｒの移動軌跡に対応した円弧形状とされている。
【００６８】
第１スライドピン６０Ｌ，６０Ｒが係止部２６−２Ｌ，２６−２Ｒ内を図５に矢印Ｂ２で示す方向に相対的に移動して長孔部２６−１Ｌ，２６−１Ｒに至ると、係止部２６−２Ｌ，２６−２Ｒによる第１スライドピン６０Ｌ，６０Ｒの係止は解除される。これにより、第１スライドピン６０Ｌ，６０Ｒは、長孔部２６−１Ｌ，２６−１Ｒ内でスライド可能な状態となる。
【００６９】
これにより、アームプレート２０はベース１１Ｌ，１１Ｒに対してスライド可能（直線移動が可能）な状態となり、スプリング４０Ｌ，４０Ｒに付勢されてスライドする。この際、回転プレート３０はヒンジ機構５０Ｌ，５０Ｒを介してアームプレート２０に取り付けられているため、回転プレート３０もアームプレート２０と共に図中矢印Ｙ１方向にスライドする。
【００７０】
このアームプレート２０のスライドは、第１スライドピン６０Ｌ，６０ＲがＬ字状孔２６Ｌ，２６Ｒの図中矢印Ｙ２方向の端部と当接することにより、また第２スライドピン６１Ｌ，６１Ｒが長孔２８Ｌ，２８Ｒの図中矢印Ｙ２方向の端部と当接することにより停止する。以下、この停止状態におけるアームプレート２０の位置を進行位置というものとする。
【００７１】
アームプレート２０がスライドする際、アームプレート２０がベース１１Ｌ，１１Ｒに対して回転する回転中心となる第２スライドピン６１Ｌ，６１Ｒは、長孔２８Ｌ，２８Ｒに沿って移動する。このように本実施形態では、アームプレート２０の回転中心となる第２スライドピン６１Ｌ，６１Ｒは、長孔２８Ｌ，２８Ｒに対して回転移動が可能で、かつスライド（直線移動）が可能な構成とされている。
【００７２】
回転プレート３０は、アームプレート２０の位置に拘らず回転可能な構成となっている。この回転プレート３０は、電子装置１及び開閉装置１０が閉状態とされている時、図中矢印Ａ２で示す方向に回転されることによりアームプレート２０と重なり合った状態となっている（図２Ａ参照）。以下、この回転プレート３０のアームプレート２０と重なり合っている位置を閉位置というものとする。
【００７３】
一方、回転プレート３０が図中矢印Ａ１で示す方向に回転することにより、電子装置１及び開閉装置１０は開状態となる。この開状態では、回転プレート３０は閉位置に対して反転し、ベース１１Ｌ，１１Ｒと略平行な状態となっている。以下、このベース１１Ｌ，１１Ｒと平行な状態となっている回転プレート３０の位置を開位置というものとする。
【００７４】
次に、上記構成とされた電子装置１及び開閉装置１０の動作について、図４Ａ〜図４Ｇを用いて説明する。
【００７５】
なお、図４Ａ〜図４Ｇは、電子装置１及び開閉装置１０の左側の動作を示しているが、電子装置１及び開閉装置１０の右側の動作は左側と同一の動作となるため、右側の説明及び図示は省略するものとする。
【００７６】
なお、図４Ａ~図４Ｇでは説明の便宜上、電子装置１及び開閉装置１０の形状を図１〜図３に示した形状と一部異ならせて図示しているが、実質的には同一のものである。
【００７７】
図２Ａ，図２Ｂ、図４Ａは、閉状態における電子装置１及び開閉装置１０を示している。閉状態では、アームプレート２０は図中矢印Ｙ２方向にスライドして後退位置に位置しており、また回転プレート３０は矢印Ａ２方向に回転して閉位置に位置している。
【００７８】
また閉状態では、移動・係止機構２５Ｌ，２５Ｒの第１スライドピン６０Ｌ，６０Ｒは係止部２６−２Ｌ，２６−２Ｒに係止されている。よって、スプリング４０Ｌ，４０Ｒの付勢力に拘らず、アームプレート２０は後退位置を維持している。
【００７９】
電子装置１及び開閉装置１０を上記した閉状態から開状態とするには、表示部３を図中矢印Ａ１方向に回転させる。図４Ｂは、表示部３を図中矢印Ａ１方向に若干量だけ回転させた状態を示している。
【００８０】
表示部３を回転させることにより、表示部３が取り付けられた回転プレート３０はヒンジ機構５０Ｌ，５０Ｒを中心としてアームプレート２０に対して回転する。
【００８１】
いま、装置本体２及び表示部３のヒンジ機構５０Ｌ，５０Ｒの配設側の端部を各図に矢印で示すようにＰ１，Ｐ２とすると、表示部３を回転させることにより、装置本体２のコーナー部Ｐ１と表示部３のコーナー部Ｐ２は当接した状態となる。この当接位置を図４Ｂ〜図４Ｅに矢印Ｄで示す。
【００８２】
更に表示部３を矢印Ａ１方向に回転させると、表示部３には当接位置Ｄを支点とした梃子の作用が発生する。これによりアームプレート２０には、第２スライドピン６１Ｌ，６１Ｒを回転中心としてアームプレート２０を回転させようとする力が作用する。具体的には、アームプレート２０には図４Ｂに矢印Ｂ１で示す方向に回転させようとする力が作用する。
【００８３】
アームプレート２０が図中矢印Ｂ１方向に回転すると、図４Ｃ，図４Ｄに示すように第１スライドピン６０Ｌ，６０Ｒは係止部２６−２Ｌ，２６−２Ｒ内で相対的に図中矢印Ｂ２方向に移動する。
【００８４】
前記のように係止部２６−２Ｌ，２６−２Ｒの形状は、第１スライドピン６０Ｌ，６０Ｒの回転軌跡に対応した形状（即ち、円弧形状）とされている。従って、第１スライドピン６０Ｌ，６０Ｒが係止部２６−２Ｌ，２６−２Ｒ内を移動しようとした場合、第１スライドピン６０Ｌ，６０Ｒは図中矢印Ｙ１方向に変位しようとする。
【００８５】
ここで本実施形態では、図５に示すように、第２スライドピン６１Ｌ，６１Ｒと長孔２８Ｌ，２８Ｒとの間に図５中矢印ΔＬ１で示すクリアランスを設けている。このクリアランスΔＬ１は、上記した第１スライドピン６０Ｌ，６０Ｒの矢印Ｙ１方向への相対変位量に対応した長さとされている。よって、装置本体２を図中矢印Ａ１方向に移動させた際、第１スライドピン６０Ｌ，６０Ｒは係止部２６−２Ｌ，２６−２Ｒ内で円滑に移動することができる。
【００８６】
図４Ｅは、第１スライドピン６０Ｌ，６０Ｒが係止部２６−２Ｌ，２６−２Ｒから離脱する直前の状態を示している。この状態より、更に表示部３を図中矢印Ａ１方向に移動させると、第１スライドピン６０Ｌ，６０Ｒは係止部２６−２Ｌ，２６−２Ｒから離脱し、Ｌ字状孔２６Ｌ，２６Ｒの長孔部２６−１Ｌ，２６−１Ｒ内に進行する。
【００８７】
これにより、移動・係止機構２５Ｌ，２５Ｒによるアームプレート２０の係止は解除され、アームプレート２０はスライド可能な状態となる。よって、スプリング４０Ｌ，４０Ｒに付勢されることにより、また第１スライドピン６０Ｌ，６０ＲがＬ字状孔２６Ｌ，２６Ｒの長孔部２６−１Ｌ，２６−１Ｒ内で相対的に移動することにより、更に第２スライドピン６１Ｌ，６１Ｒが長孔２８Ｌ，２８Ｒ内で相対的に移動することにより、アームプレート２０は進行位置に向けてスライド（直線移動）する。
【００８８】
また、アームプレート２０が進行位置まで移動した状態で、回転プレート３０を開位置まで回転させることにより、表示部３に設けられた液晶ディスプレイ５を正面側（図中、Ｚ２方向側が正面側となる）に向いた開位置まで回転させることができる。
【００８９】
図４Ｆは、回転プレート３０を開位置まで移動した状態を示している。この状態では、装置本体２と表示部３は、上下に並列した状態となっている。このように、回転プレート３０が開位置まで回転することにより、電子装置１及び開閉装置１０は開状態となり、いわゆる自分撮りを行うことが可能になる。
【００９０】
一方、表示部３を開位置から閉位置に向け回転する時の動作は、上記した表示部３を閉位置から開位置に向け移動させる動作の略逆の動作になる。
【００９１】
電子装置１及び開閉装置１０を閉状態とするには、表示部３（回転プレート３０）を図中矢印Ａ２方向に移動させる。これにより、図４（Ｇ）に示すように、装置本体２の端部（図中、矢印Ｐ３で示す）と装置本体２の表示部収納部４とが当接する。この際、アームプレート２０は進行位置を維持している。
【００９２】
この状態で、表示部３は装置本体２に対してチルトした状態となる（以下、表示部３の状態をチルト状態という）。本実施形態の電子装置１は、このチルト状態でも撮像を行うことが可能であり、例えば、撮影者の目線より上に電子装置１を配置した状態で下方向の撮影を行う、いわゆるハイアングル撮影時などでは、撮影者が下から直接液晶ディスプレイ５を視認できるようになる等、撮影アングルの多様化を図ることができる。
【００９３】
電子装置１及び開閉装置１０を閉状態とするには、このチルト状態より更に表示部３を閉状態に向けて移動させる。
【００９４】
表示部３を閉位置に向けて移動させることにより、第１スライドピン６０Ｌ，６０Ｒ及び第２スライドピン６１Ｌ，６１Ｒは、図５に一点鎖線で示す位置から実線で示す位置に向けて移動する（図中矢印Ｙ１方向に向けて移動する）。そして、第１スライドピン６０Ｌ，６０Ｒを係止部２６−２Ｌ，２６−２Ｒと対向する位置まで移動させた後、表示部３を装置本体２に向けて押圧する。
【００９５】
これにより、第１スライドピン６０Ｌ，６０Ｒは係止部２６−２Ｌ，２６−２Ｒに係止され、再びアームプレート２０は移動・係止機構２５Ｌ，２５Ｒにより後退位置に係止された状態となる。
【００９６】
上記のように、本実施形態に係る電子装置１及び開閉装置１０では、ベース１１Ｌ，１１Ｒに対してアームプレート２０がスライドするため、薄型化及びコンパクト化を図ることができる。
【００９７】
また、単に表示部３を回動操作するだけで、装置本体２（ベース１１Ｌ，１１Ｒ）に対する表示部３（アームプレート２０）の係止及び係止解除を１アクションで行うことが可能となり、操作性の向上を図ることができる。
【００９８】
図６は、本実施形態の変形例である開閉装置８０を示している。
【００９９】
前記した実施形態では、第１スライドピン６０Ｌ，６０Ｒ及び第２スライドピン６１Ｌ，６１Ｒをベース１１Ｌ，１１Ｒに設けると共に、Ｌ字状孔２６Ｌ，２６Ｒ及び長孔２８Ｌ，２８Ｒをアームプレート２０に設けた構成とした。
【０１００】
しかしながら、図６に示すように、第１スライドピン６０Ｌ，６０Ｒ及び第２スライドピン６１Ｌ，６１Ｒをアームプレート２０に設けると共に、Ｌ字状孔２６Ｌ，２６Ｒ及び長孔２８Ｌ，２８Ｒをベース１１Ｌ，１１Ｒに設けた構成としてもよい。
【０１０１】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【図１】
0006047665.tif 000002
【図２Ａ】
0006047665.tif 000003
【図２Ｂ】
0006047665.tif 000004
【図３Ａ】
0006047665.tif 000005
【図３Ｂ】
0006047665.tif 000006
【図４Ａ】
0006047665.tif 000007
【図４Ｂ】
0006047665.tif 000008
【図４Ｃ】
0006047665.tif 000009
【図４Ｄ】
0006047665.tif 000010
【図４Ｅ】
0006047665.tif 000011
【図４Ｆ】
0006047665.tif 000012
【図４Ｇ】
0006047665.tif 000013
【図５】
0006047665.tif 000014
【図６】
0006047665.tif 000015